(57)【特許請求の範囲】
【請求項１】
空気調和機本体の下面に設けられた吸込グリルを開いた時に当該下面に電装箱が露出する天吊型空気調和装置において、
前記電装箱が電装箱本体と蓋体とを備え、この蓋体は、上端縁が電装箱本体の表面側上部に設けられた係止片に差し込まれると共に、下端縁が折り曲げられて折曲部が形成され、この折曲部が前記電装箱本体の下面にねじで固定され、前記折曲部には、このねじを緩めた状態で前記蓋体を取外可能に達磨状の係止孔が設けられ、
前記電装箱本体を前記空気調和機本体に吊下可能に形成すると共に、
前記蓋体は、緩めた状態の前記ねじに前記係止孔を引掛けて前記電装箱本体の下面に吊下可能に形成され、
前記蓋体には、当該蓋体を前記電装箱本体の下面に吊下げた場合の前記電装箱本体の開口側に制御回路図面が添付されていることを特徴とする天吊型空気調和装置。
【発明の詳細な説明】
【０００１】
【発明の属する技術分野】
本発明は、天吊型空気調和装置の電装箱の取付構造に関する。
【０００２】
【従来の技術】
一般に、空気調和機本体の下面に設けられた吸込グリルを開いた時に当該下面に電装箱が露出する天吊型空気調和装置は知られている。
【０００３】
この種のものでは、空気調和機本体の狭隘な内部に送風機、熱交換器、冷媒配管等の各種機器類が殆ど隙間なく収納されるので、吸込グリルを開いた時に電装箱が下面に露出するとしても、各種電装品のメンテナンス時には当該電装箱を空気調和機本体の外に出さないとメンテナンスすることができない。
【０００４】
【発明が解決しようとする課題】
しかしながら、天吊型空気調和装置における各種電装品のメンテナンスは高所作業となる。従って、従来から各種電装品を簡単にメンテナンスできる構造の出現が望まれていた。また通常、電装箱の蓋体にはその中に収納された制御回路の図面が貼付されるので作業中には当該図面を見ながらメンテナンスする必要が生じる。この場合には従来例えば蓋体を脚立の上等に載置しておいてそれを見ながらメンテナンスすることが行われているが安全性の面で問題があった。
【０００５】
本発明の目的は、上述した従来の技術が有する課題を解消し、各種電装品を簡単にメンテナンスできる構造を提供することにある。
【０００６】
【課題を解決するための手段】
請求項１記載の発明は、空気調和機本体の下面に設けられた吸込グリルを開いた時に当該下面に電装箱が露出する天吊型空気調和装置において、前記電装箱が電装箱本体と蓋体とを備え、この蓋体は、上端縁が電装箱本体の表面側上部に設けられた係止片に差し込まれると共に、下端縁が折り曲げられて折曲部が形成され、この折曲部が前記電装箱本体の下面にねじで固定され、前記折曲部には、このねじを緩めた状態で前記蓋体を取外可能に達磨状の係止孔が設けられ、前記電装箱本体を前記空気調和機本体に吊下可能に形成すると共に、前記蓋体は、緩めた状態の前記ねじに前記係止孔を引掛けて前記電装箱本体の下面に吊下可能に形成され、前記蓋体には、当該蓋体を前記電装箱本体の下面に吊下げた場合の前記電装箱本体の開口側に制御回路図面が添付されていることを特徴とするものである。
【００１０】
これらの発明によれば、各種電装品をメンテナンスする時、まず電装箱本体を空気調和機本体から取り外した後、当該空気調和機本体に吊下げ、ついで蓋体を電装箱本体から取り外した後、当該蓋体を電装箱本体または空気調和機本体のいずれかに吊下げる。これによれば電装箱本体が空気調和機本体に吊下げられるので、電装箱本体内の電装品は空気調和機本体の外に露出するので、そのメンテナンスは極めて容易になる。また蓋体が回路図面の貼付面を表にして吊下げられる場合、当該図面を見ながらのメンテナンスが容易になる。
【００１１】
【発明の実施の形態】
以下、本発明の一実施形態を図面に基づいて説明する。
【００１２】
図１において、符号１は空気調和機本体を示す。この空気調和機本体１は天井から吊り下げられた吊りボルト３に引っかけられて室内天井板５の下面に設置・固定されている。空気調和機本体１には電装箱１１、送風機１３、熱交換器１５、冷媒配管２９等の各種機器類が殆ど隙間なく収納されている。送風機１３は、図２に示すように四台の送風機ユニット２１〜２４からなりこれらは一台のモータ２５で駆動される回転軸２７上に固定・配置されている。
【００１３】
熱交換器１５は、図１に示すようにフィン・チューブ型の熱交換器であり、空気調和機本体１内に斜めに設置される。この熱交換器１５には冷媒配管２９が接続され、この冷媒配管２９は空気調和機本体１の外に導出され、室外機（図示せず）の圧縮機、室外熱交換器等に接続される。
【００１４】
この熱交換器１５の下方には、図１に示すように発泡スチロール製のドレンパン３１が設置され、このドレンパン３１の下面には板金製パネル３３が設置される。ドレンパン３１のドレン溜まり３１ａには、図２に示すようにフレキシブルチューブ３２を介してドレンポンプユニット３５が接続され、このドレンポンプユニット３５に収容されるドレンポンプは、ドレン溜まり３１ａに収集されたドレンを吸い上げて空気調和機本体１の外に排出する。
【００１５】
送風機１３の下方には、図１に示すように樹脂製の吸込グリル３７が開閉可能に設置され、この吸込グリル３７には空気清浄用フィルタ３９が取り付けられる。そして、送風機１３が駆動されると吸込グリル３７およびフィルタ３９を通じて室内の空気が空気調和機本体１内に吸い込まれ、この空気は熱交換器１５で熱交換された後に、吹出口４１を通じて室内に吹き出される。４３は空気調和機本体１の略中央を横断的に仕切る中仕切板である。
【００１６】
この実施形態では、前記の電装箱１１の取付構造に特徴を有する。この電装箱１１は、空気調和機本体１の下面に設けられた吸込グリル３７を開いた時に、当該空気調和機本体１の下面に露出する。
【００１７】
図３は電装箱１１の収納状態を示し、図４は吊下状態を示す。この電装箱１１は、板金製の電装箱本体５１と同じく板金製の蓋体５３とで構成される。電装箱本体５１には、図５ａに示すように各種電装品６５の他、電源コード等の接続ターミナル６７が収納される。電装箱本体５１の裏面側下部には、図５ａ、ｂに示すように二つの略Ｖ字状の係止部材５５が設けられ、電装箱本体５１の裏面側上部には二つの略Ｔ字状の第一のフック５７が設けられる。電装箱本体５１は、第一のフック５７の上片部５７ａ（図５ｂ参照）を、図３に示すように空気調和機本体１の係止片５８（図４参照）に差し込むと共に、電装箱本体５１の係止部材５５を空気調和機本体１の下縁部１ａに係合し、この下縁部１ａにねじ５９を用いて係止部材５５を止めることにより固定される。
【００１８】
電装箱本体５１には、図３に示すように蓋体５３が取り付けられる。この蓋体５３は、当該蓋体５３の上縁部５３ａを電装箱本体５１の表面側上部に設けられた係止片６１（図５ａ、図５ｂ参照）に差し込むと共に、蓋体５３の折曲部５３ｂを電装箱本体５１の下面にねじ６３を用いて止めることにより固定される。蓋体５３の折曲部５３ｂには、図６ｃに示すようにねじ６３を通す達磨状の係止孔６９が設けられる。この係止孔６９は達磨状あるので、蓋体５３を取り外す場合には、ねじ６３（図３参照）を取り外さずにこのねじ６３を緩めた後、このねじ６３が係止孔６９の大径部６９ａに位置するように蓋体５３を移動させるだけで蓋体５３を簡単に取り外すことができる。
【００１９】
この実施形態では、各種電装品６５のメンテナンス時には、図３の状態にある電装箱本体５１をねじ５９を外して空気調和機本体１から取り外すと共に、この電装箱本体５１の第一のフック５７の下片部５７ｂ（図５ｂ参照）を、図４に示すように空気調和機本体１の下縁部１ａに引っかけてこの電装箱本体５１を吊下げる。そして、電装箱本体５１から蓋体５３を取り外し、この蓋体５３を、図４に示すように電装箱本体５１の下面に吊下げる。
【００２０】
蓋体５３を下面に吊下げる場合には、前記緩めたねじ６３に蓋体５３の取付部５３ｂの係止孔６９（図６ｃ参照）を引っかければよい。これらは第二のフックを構成する。或いは、蓋体５３に、図６ａ〜図６ｃに示すように第二のフック７１を設け、蓋体５３を吊下げる場合にはこの第二のフック７１を空気調和機本体１の下縁部１ａに引っかけて吊下げるようにしてもよい。
【００２１】
この実施形態では、各種電装品６５のメンテナンス時等に電装箱本体５１が空気調和機本体１に吊下げられるので、電装品６５は空気調和機本体１の下方に露出するのでメンテナンスは極めて容易になる。また蓋体５３は電装箱本体５１から取り外した後、電装箱本体５１または空気調和機本体１のいずれかに吊下げられるので、図６ｂに示すように蓋体５３の裏面に制御回路図面７３が貼付されている場合、当該図面を見ながらのメンテナンスが容易になる。
【００２２】
以上、一実施形態に基づいて本発明を説明したが、本発明はこれに限定されるものではない。例えば電装箱本体および蓋体の吊下形態は前記形態に限定されず、本発明の趣旨を逸脱しない範囲内で変更は可能である。
【００２３】
【発明の効果】
この発明によれば、各種電装品のメンテナンス時等には、まず電装箱本体を空気調和機本体から取り外した後、当該空気調和機本体に吊下げ、ついで蓋体を電装箱本体から取り外した後、当該蓋体を電装箱本体に吊下げる。これによれば電装箱本体が空気調和機本体に吊下げられるので、電装箱本体内の電装品は空気調和機本体の外に露出するので、メンテナンス等は極めて容易になる。また蓋体が制御回路図面の貼付面を表にして吊下げられる場合、当該図面を見ながらのメンテナンス等が容易になる。
【図面の簡単な説明】
【図１】本発明による空気調和装置の一実施形態を示す側面断面図である。
【図２】同じく内部構造を示す平面図である。
【図３】電装箱の収納状態を示す断面図である。
【図４】電装箱の吊下状態を示す断面図である。
【図５】ａは電装箱の内部構造を示す平面図、ｂは電装箱の側面図である。
【図６】ａは蓋体の側面図、ｂは平面図、ｃは底面図である。
【符号の説明】
１  空気調和機本体
１１  電装箱
１３  送風機
１５  熱交換器
３７  吸込グリル
５１  電装箱本体
５３  蓋体
５５  係止部材
５７  第一のフック
６３  ねじ
６９  係止孔
７１  第二のフック
７３  制御回路図面
【図１】
0003615366.tif 000002
【図２】
0003615366.tif 000003
【図３】
0003615366.tif 000004
【図４】
0003615366.tif 000005
【図５】
0003615366.tif 000006
【図６】
0003615366.tif 000007